(57)【要約】    【課題】    手作業による試料のかき出しを容易にする補助装置を提供する。    【解決手段】    補助装置は、作業する手を支持する凹型の支持部材２と、支持部材２によって支持されている手を固定するために支持部材２の凹部内に前進と後退可能に設けられた固定機構６ａ、６ｂを備えており、固定機構６ａ、６ｂはその間隔を調節することができるようになっている。固定機構６ａ、６ｂは、例えばネジを利用したものでありネジを回転させることでその間隔を変えられるようになっている。試料のかき出しを行なう際は、かき出しを行なう手に針状の部材２２をもち、支持部材２の凹部に掌をたてた状態に挿入し、挿入した手を固定するために固定機構６ａ、６ｂの間隔を調節して、掌と甲から固定する。かき出しを行なう手に針状の部材２２をもつと、手の動きは指先にのみ限定され、手のぶれなどが軽減されて安定する。    【選択図】  図１
2005049252.tif 000002
【特許請求の範囲】
【請求項１】
顕微鏡下において、試料を針状部材を用いて手作業で取り出し、取り出した試料を分析用容器へ移動させる試料前処理作業を補助する装置であって、
前記針状部材をもって作業を行なう手を支える凹部をもつ支持部材と、前記支持部材に支持された手を固定するとともに、その固定強度を調節できる固定機構とを備えた試料前処理補助装置。
【請求項２】
前記針状部材が金属製であり、その先端を帯電させるとともに、その電源の極性切換え、又はオン・オフ切換えを可能にする通電装置を備えた請求項１に記載の試料前処理補助装置。
【請求項３】
前記通電装置は前記支持部材に接続されて、前記支持部材から支持部材に支持された手を介して前記針状部材に通電がなされる請求項２に記載の試料前処理補助装置。
【請求項４】
前記針状部材は支持部材に支持された手に触れる部分は絶縁材で被覆されており、前記通電装置は前記針状部材に直接接続されている請求項２に記載の試料前処理補助装置。
【発明の詳細な説明】
【技術分野】
【０００１】
本発明は、顕微鏡下で微小試料を他の物体から取り出して、分析するための前処理を行なう際に用いる補助装置に関する。
【背景技術】
【０００２】
通常、顕微ＦＴＩＲ（フーリエ変換赤外分光光度計）分析では、前処理の良し悪しによって検出するスペクトルの質が変化してしまうため、なるべく分析したい試料だけを取り出すことが前処理としては好ましい。前処理を行なう際は、先端の細いピンのような針状部材を使用し、顕微鏡下において手作業でその微小試料のかき出しを行なうか、又は高価なマイクロマニュピレーターを使用している。
【発明の開示】
【発明が解決しようとする課題】
【０００３】
手作業で試料部分のかき出しを行なう場合、その試料部分は数十μｍ単位の大きさであるため作業が困難であり、手がぶれてしまったり、かき出した試料部分をダイヤモンドセルなどの分析用容器に移動させる途中で落としてしまったりするなど、結果的に試料を紛失することがある。
【０００４】
そこで本発明は、手作業による試料のかき出しを容易にする補助装置を提供することを目的とするものである。
【課題を解決するための手段】
【０００５】
本発明は、顕微鏡下において、試料を針状部材を用いて手作業で取り出し、取り出した試料を分析用容器へ移動させると試料の前処理作業を補助する装置であって、前記針状部材をもって作業を行なう手を支える凹部をもつ支持部材と、支持部材に支持された手を固定するとともに、その固定強度を調節できる固定機構とを備えたものである。
【０００６】
使用する針状部材を金属製にし、その先端を帯電させるとともに、その電源の極性切換え又はオン・オフ切換えを可能にする通電装置を備えることも可能である。
上記の通電装置を支持部材に接続させて、支持部材から支持部材に支持された手を介して針状部材に通電がなされるようにしてもよい。
また、針状部材は支持部材に支持された手に触れる部分は絶縁材で被覆されており、通電装置は針状部材に直接接続されているものであってもよい。
【発明の効果】
【０００７】
本発明では、針状部材をもって作業を行なう手を支える凹部をもつ支持部材と、支持部材に支持された手を固定するとともに、その固定強度を調節できる固定機構とを備えたので、作業中の手のブレを抑えて安定させることができる。
【０００８】
使用する針状部材を金属製にし、その先端を帯電させるとともに、その電源の極性切換え又はオン・オフ切換えを可能にする通電装置を備えれば、取り出した試料を容易に保持し、試料を移動させる途中での紛失を防止することができる。
【発明を実施するための最良の形態】
【０００９】
［実施例１］
図１は一実施例の一局面を示す概略図である。
この試料前処理補助装置は、作業する手を支持する凹型の支持部材２と、支持部材２によって支持されている手を固定するために支持部材２の凹部内に前進と後退可能に設けられた固定機構６ａ、６ｂを備えている。固定機構６ａ、６ｂは、その間隔を調節することができるようになっている。支持部材２は基台４に固定されて、作業にあたる手を安定して固定することができるようになっている。
固定機構６ａ、６ｂは、例えばネジを利用したものでありネジを回転させることでその間隔を変えられるようになっている。固定機構６ａ、６ｂの内側８ａ、８ｂは、手を挿入し締め付けて固定したときに手を傷つけないように弾性材などクッションとなるもので被覆されているのが好ましい。
【００１０】
試料のかき出しを行なう際は、作業を行なう手で針状部材２２を保持し、支持部材２の凹部に掌をたてた状態に挿入する。挿入した手を固定するために固定機構６ａ、６ｂの間隔を調節して、掌と甲から固定する。このとき手の動きは指先にのみ限定され、手のぶれなどが軽減されて安定するので、針状部材２２による試料部分のかき出し作業が容易になる。
【００１１】
［実施例２］
図２は他の実施例を示す概略図である。該図において、図１と同一の部分には同じ符号を用いる。
本実施例では、支持部材２は金属性であり、その支持部材２に電源を供給するコンセント１４と、そのコード上に設けられた電力供給のオン・オフを切り替える電源スイッチ１６と、基台４の上面の中央部に設けられ、支持部材２を正又は負に帯電させる荷電切換えスイッチ２８とを備えたものである。基台４の内部には支持部材２を通電させる通電回路（図示略）が備わっており、荷電切換えスイッチ２８を切り替えることで支持部材２の帯電の極性が切り替わる。支持部材２に流す電流は人体に影響のない程度の弱電流であり、支持部材２によって支持された手を正又は負に帯電させるものである。
【００１２】
かき出し作業を行なう際は、支持部材２によって支持された手で金属製の針状部材２２を保持する。帯電した手によって保持される金属製の針状部材２２は手と通電し、帯電して正又は負の電荷を帯びる。針状部材２２の先端が電荷を帯びることによって、かき出された試料部分は電気的な引力によって針状部材２２の先端に付着する。
針状部材２２の先端に試料部分が付着した状態で、ダイヤモンドセルなどの分析用プレートに針状部材２２の先端を移動させ、荷電切換えスイッチ２８を切り替えて、針状部材２２を逆の極性に帯電させる。そうすることで、試料部分は電気的な斥力により針状部材２２の先端から離脱し、分析用プレート上に移る。
【００１３】
［実施例３］
図３はさらに他の実施例を示す概略図である。該図において、図１、図２と同一の部分には同じ符号を用いる。
本実施例でも、針状部材２２は金属製であり、基台４の通電回路と直接接続されている。２４は針状部材２２を手で保持する保持部であり、針状部材２２のその部分は絶縁体で被覆され、作業を行なう際に手と導通しないようになっている。
【００１４】
同実施例の補助装置を使用した場合の作業工程を説明する。
取出し作業用の顕微鏡の近傍にこの補助装置を配置し、電源にコンセント１４を差し込む。
支持部材２に掌を立てた状態で挿入し固定機構６ａ、６ｂによって掌と甲を固定する。このとき手の動きは手先にのみ限定され、手のぶれなどが軽減されて安定する。
基台４の荷電切換えスイッチ２８を正側（又は
負側）にしておく。
固定された手の手先で保持部２４を掴み、針状部材２２の先端を顕微鏡の下の試料部分に接近させ電源スイッチ１６をオンにして、  荷電切換えスイッチ２８を操作して針状部材２２を正（負）に帯電させる。
【００１５】
帯電した針状部材２２により試料部分をかき出すと、かき出した試料部分は帯電した針状部材２２に電気的な引力により引き付けられ、針状部材２２の先端部に付着する。
【００１６】
試料を針状部材２２の先端部に付着させた状態で、針状部材２２の先端をダイヤモンドセルなどの分析容器に移動させる。基台４の荷電切換えスイッチ２８を切り替えて、針状部材２２を逆に帯電させ、電気的斥力によって試料を針状部材２２から離脱させる。
【００１７】
実施例２と実施例３において、針状部材２２が正の電荷を持てば負の電荷を持つ物質は引き寄せられ、針状部材２２が負の電荷を持てば正の電荷を持つ物質が引き寄せられる。取り出そうとする試料は非常に微小で軽量であるため、静電気程度の電気的引力・斥力であっても引き寄せられて付着したり、離脱したりする。試料取り出しの際に針状部材２２を帯電させると、取り出したい試料以外の物質も電気的引力により付着するが、非常に微細な針状部材を使用することで試料以外の物質の付着を最小限に抑え、また、従来のかき出しに比べて、分析容器への移動を確実に行なうことができる。
【００１８】
荷電切換えスイッチ２８は、基台４とは別に設けてもよい。また、電源スイッチ１６は基台４に設置してもよい。
【図面の簡単な説明】
【００１９】
【図１】一実施例の一局面を示す概略図である。
【図２】他の実施例を示す概略図である。
【図３】さらに他の実施例を示す概略図である。
【符号の説明】
【００２０】
２      支持部
４      基台
６ａ,６ｂ    固定機構
１６      電源スイッチ
２２      針状部材
２８      荷電切換えスイッチ
【図１】
2005049252.tif 000003
【図２】
2005049252.tif 000004
【図３】
2005049252.tif 000005